(57)【要約】【課題】衣類収納ケースに於いて衣類を容易に取り出せる様にする。【解決手段】この様な問題を解決するために、積み重ねた衣類と衣類との間に仕切りシートを挟むか二枚シートの間に衣類を挟むかで各衣類を分離遮断し、積み重ねてある数多くある衣類全てを孤立状態にする事で、横スライドが可能になり、取り出す際、上から積んだ衣類をどの位置の物でも瞬時に衣類を引き抜き、取出す事が出来る機構の仕切りシートと衣類収納ケースを提供する。【選択図】図１
2017001708.tif 000002
【特許請求の範囲】
【請求項１】
底部上に対向して立設された左右の側板の間に衣類の収納空間を形成している本体と、上下に積み重ねられる衣類の間に介装される仕切りシートを複数枚備えた衣類収納具であって、前記側板奥側に収納具本体に係止する為の係止手段を有しており、当該仕切りシートは略方形に形成され、当該衣類を手前に引き出す際に、当該仕切りシートは当該係止手段により当該本体に留まることを特徴とする衣類収納ケース。
【請求項２】
請求項１に係る衣類収納具は本体底部の裏側に数個の吸盤を有しており、衣類収納具本体を簡易固定することを特徴とする衣類収納ケース。
【請求項３】
請求項１又は請求項２に係る本体底部は、あらゆる形状に対しての立ち上げの基礎版とすることを特徴とする衣類収納ケース。
【請求項４】
請求項１に係る仕切りシートは二枚重ねとなっていることを特徴とする衣類収納ケース。
【発明の詳細な説明】
【技術分野】
【０００１】
本発明は、衣類の収納取出を容易にした衣類収納ケース
【背景技術】
【０００２】
従来、衣料店に於いては商品である衣類はハンガーに吊るして展示してあるか、畳んで重ねてあるかである。ハンガ―に吊るしてある物は移動の際、何の問題も無く簡単に移動しているが、何段にも畳んで重ねてある衣類の一品だけの取出しには最上段の物は問題ないが、段中の物を出す場合には希望する衣類から上の衣類全てを一旦持ち上げて目的の衣類を最上段状態にしてから取り出していた。
【０００３】
一般家庭に於いても全く同様で、日常の洗濯物は放っておくことは無く、殆ど畳んでタンスにしまうか、そのまま積み重ねて置くかであるが、重ねた場合必要な衣類を取り出す時、それが中段であればそれを片手で一瞬に直接取り出すのは難しく、周辺の物まで崩してしまう事は珍しくなく、その為上の衣類を全て持ち上げて必要の物を取り出してから上の衣類を元に戻す事が当たり前であった。
【０００４】
衣類の扱いを業としている場合賃金が発生するが、一般家庭に於いては大体主婦が無料で上着、下着、シャツ、パンツ等、身に付けるあらゆる衣類を管理し、使い捨て品を除き洗濯をして何回も使用するのが普通である。しっかり畳んで整理整頓した衣類を夏用、冬用厚物、薄物と分けて複数重ねて収納できるプラスチック製の容器等は市販されている。又、ハンカチ、タオル等の小物は収納の際に取り出す時に容易になる様に畳むのではなくタンスの引き出しや容器に丸めて横並びに収納する方法もある。
【先行技術文献】
【特許文献】
【０００５】
【特許文献１】特開２００２−２１９０２８号公報
【特許文献２】特開２００１−１１４３３３号公報
【発明の概要】
【発明が解決しようとする課題】
【０００６】
しかしながら、特許文献１に於いては、全てが横並び収納が出来るなら、衣類取出しに問題は無いが、吊るした方がよい衣類を畳まなくてはならない場合は、畳んで積み上げる事になり、最上段以外の衣類を取り出す際、積み上げた衣類の全てを同時に移動する場合を除き、段中の衣類を一品のみを強引に取り出す場合は周辺の衣類が簡単に崩れ、崩さない様にする為に前述した様に目的の衣類の上の衣類全て退かさなくては目的の衣類を取り出す事は難しく、その為時間もかかる。
【０００７】
毎日の洗濯物を畳んで整理する時はどうしても下から上へ順に乗せていくため、前の物、つまり下から取り出す事は大変で、いつになっても下の衣類や、中段の衣類はそのままで、数多くの下着類等はなかなか使用できない事にもなり、まして途中から崩さず取出すのは子供では不可能である。
【０００８】
本発明は、上記のような積み上げた衣類を何時でも誰でもどこの位置の衣類でも簡単に取り出せる様にしようとするものである。
【課題を解決するための手段】
【０００９】
その為に本発明は底部上に対向して立設された左右の側板の間に衣類の収納空間を形成している本体と、上下に積み重ねられる衣類の間に介装される仕切りシートを複数枚備えた衣類収納ケースであって、前記側版後面に収納ケース本体に係止する為の係止手段を有しており、当該シートは略方形に形成され、当該衣類の取り出しは、衣類を手前に引き出すのみで、当該シートは当該係止手段により係止、当該本体に留まることを特徴とする衣類収納ケースであって、片手で衣類を取り出せる様に一定の場所に固定する事が望ましい。
【００１０】
その為、異類を乗せる為の基礎（土台）となる底部は必須であり、底部の裏側に数個の吸盤を有して、衣類収納ケース本体を簡易固定し、衣類収納ケースの横滑りを防ぎ、（全体が軽量である為）衣類抜き取りの際の摩擦抵抗に耐えうる吸着性を持つており、片手での作業を可能にする。
【００１１】
更に本体底部からの立ち上がりは、底部に当該シートの係止手段を備えた部材であれば形状は箱状以外に巾広い範囲に及ぶ。又、どの様な収納ケースを使用しても、係止される当該仕切りシートは二枚重ねとなっていることが特徴の仕切りシートであり、必要時に必要な衣類をどの位置からでも引出しができ、衣類引出し後、空洞となった仕切りシートは引き出された衣類と逆方向に取手を持って、引き抜き保管する。
【００１２】
又、衣類の収納は二重の片方が硬質でその上に衣類を乗せ、もう片方が軟質の当該シートの二枚で合わせ包み、衣類の収納準備をする上で洗濯物を、下着、パンツ、パジャマ等、複数を個人別に一セットとして同シートに収納する事ができ、大家族に於いては家族全体の衣類を一つの収納具の一シートに全てが収納でき、衣類を取出す時には個々の分として、他の衣類を取り出すのと全く同様である。衣類引き出し後、シートはケース本体に係止され留まり、当該シートの格納庫となり、いつでも取り外す事が出来る。
【００１３】
その後、改めて衣類を畳んで、収納する時には本体ケースに常に上からシートと共に積み重ねられ、ケース内の衣類の流れは一方通行で、上から下へと進み、衣類が途中から引き出されても、引き出された衣類の上の部分は重力により衣類が引き出された分の空間は埋まり外見に於いて空間の出来る事はない。
【００１４】
更に衣類を一重の当該シートに乗せるだけの形態で収納する場合に於いて、当該衣類を最後に二つ折りする時に折り目の中心の内側に本体ケースに係止できる程度の長さを持った係止棒等を挿入する事で当該シートの係止と逆方向に衣類が係止する事で当該シートも、当該衣類もどちらも抜き取る際、簡単にスライド出来る。
【００１５】
積み上げた当該衣類を当該シートにより孤立させ、当該衣類同士に影響を与えない事で当該衣類のスライドを可能にさせ、当該衣類を積み上げ、当該シートの一部である係止棒を係止する事で、係止棒受け部が設けてあればケース型でも、箱型でも、筋枠のみの物でも形状は異なるも機能は同等で、係止棒が係止できる形状であれば、多くの具材が可能であり、当該シートが係止当接する事で本発明の目的が成立する。
【発明の効果】
【００１６】
前途した様にある程度表面積のある物品は衣類に限らず、横積みで重ねる場合が普通であるが、本発明は難点であった最上段以外の場所の衣類の取出しが簡単になる事で、子供でも誰でも風呂上りの着替え等の取出しが容易になり、携わる主婦の仕事量は減少する。
【００１７】
職業である衣料店に於いても、商品は多くの人達が触る為、最上段の商品は避ける人が多く、従業員はお客が積み重ねてある商品を勝手に取り出してあれこれと選別し、結局後片付けをするのは従業員、この様な事は当たり前であったが、本発明の仕切りシートを使用する事で業務は一変し軽減する。
【図面の簡単な説明】
【００１８】
【図１】本発明の衣類の収納状態の斜視図である。
【図２】（イ）本発明の収納ケース本体の斜視図である。（ロ）本発明以外の収納具とシート係止部の一例題の斜視図である。
【図３】（イ）本発明の仕切りシート硬質タイプの斜視図である。（ロ）本発明の仕切りシートの片面硬質の斜視図である。（ハ）本発明の仕切りシートのスタンダードの斜視図である。
【図４】本発明の箱型以外の収納具使用の一例題の斜視図である。
【図５】本発明の衣類、及びシートの取出しの側面図である。
【発明を実施するための形態】
【００１９】
以下、本発明の実施の形態を図１〜図４に基づいて説明する。
【００２０】
本発明に於いて対象となる衣類４（洗濯物等）収納ケース１の側板６に沿って下から上へと積み上げられる衣類４の収納（図１）は他の場所で二重シート２（図３イ・ロ・ハ）に包み、包まれた衣類４を移動して収納ケース１に収めることも可能であり(図１)
又、収納ケース１に前もって二重シート２をセットし、（収納ケース)
１の係止部にシート２の係止具３を係止し、二重シート２を最大に開き、いつでもシート２の上に衣類４を乗せられる状態）衣類４を乗せたら二重シート２を閉じて収納は完了する。
【００２１】
二重は一重を兼ねており、二重を閉じて一重で収納する場合はシート２の開閉はなく、閉めたシート２の上に乗せ、係止棒３を係止部５に係止する事で収納が終了で、次から次へと同じ行為を繰り返すのみで衣類４を高く積み上げ、収納する事になる。
【００２２】
一重でも、二重でも積み重ねられた全ての衣類４が各シート２に仕切られて上の衣類４と下の衣類４が遮断され、下から上へと積み重ねられた衣類４の最上段以外の衣類４を取り出す際はケース本体１の前方（シート２が係止された部所の反対側）矢印のＡ方向へ衣類４を手で持って引き抜くが、低部７に吸盤９が設置されている事で衣類収納ケース１を固定し、引出しの最、片手で衣類４の取出しが出来る。（図５）
【００２３】
衣類収納ケース１は衣類４、シート２、を含め、軽量である為、簡易に固定、片方を手で押さえる必要があるが、衣類４、シート２を引き出す際の摩擦抵抗より強度な固定をする事で収納ケース１を手で抑える事無く、片手で上記衣類４でもシート２でも簡単に引き出す事ができる。本体１に留まったシート２の取り外しに付いては係止棒受け部５に係止された状態で残ったシート２を取り外す場合は、衣類４取出しと逆方向に係止棒３の取手８を持ってＢ方向に抜けば解除され、衣類と同様片手での作業が可能である（図５）
【００２４】
前述した様に箱型以外の多くの具材の収納ケースの一例とした収納ケース（図２・ロ）はポールが係止部５となり底部７の両サイドの中央に立設され、その作用に付いては本発明の収納ケース１と（図２・イ）同様であり、ポール５を中心に両サイドに収納が可能になることを一例として掲載したが、（図４）収納具１の構造としては底部７と係止部５のみの形態も可能であり、外壁を省くことも出来る。  この場合の名称はケースではなく収納具又は、収納器具が好ましい。
【産業上の利用可能性】
【００２５】
本発明は、殆どの主婦が毎日の仕事の一環である洗濯物の畳み、取出し時、一度は経験したであろう取り崩し、その時の失敗、洗濯後衣類をそのまま放っておくこと（例外を除く）は殆ど有り得ない、畳んで収納するのが当たり前である。
本発明は、数多く積み重ねた洗濯物の中から目的物のみを取り出す際、崩してしまい結果最初からやり直しと云う様な失敗は皆無であり、積み重ねてある全ての衣類は片手で瞬時に取り出す事ができる機構で、収納ケースの外観を好みに合わせて装飾したり、家具調にしたり、簡単に経済的な物等、構造は自由である。
【００２６】
シートの大きさは略方形の自由で摩擦の少ない素材であれば一面をプラスチックや板の様な硬質で、もう一重面を軟質にする事も、ポリエステルの様な軟質でも、防水紙でも木板でも鉄板でも、限定する物ではなく、衣類収納ケースの形状や、シートの材質、係止具の形状、係止部の形状、装飾や大きさ等は本発明の範疇に含まれる
【符号の説明】
【００２７】
１  衣類収納ケース全体
２  仕切りシート
３  係止棒
４  衣類
５  係止棒受け
６  本体側板
７  本体底部
８  取手
９  吸盤
【図１】
2017001708.tif 000003
【図２】
2017001708.tif 000004
【図３】
2017001708.tif 000005
【図４】
2017001708.tif 000006
【図５】
2017001708.tif 000007